(57)【要約】【課題】記録開始に際し、ユーザに対して、記録の可能性に関する情報を容易に認識させることができる記録装置を提供する。【解決手段】各記録経路を、記録元の記録媒体の図形１から記録先の記録媒体の図形２に至る経路図形で表した記録経路図を表示する表示手段を備えた記録装置において、各記録経路について、記録元の記録媒体における所定の記録ソースに基づいて記録を行う場合に、設定された圧縮率に応じた形状３１、４ａで表示する。【選択図】図３
2008257755.tif 000002
【特許請求の範囲】
【請求項１】
データを記録可能な媒体に対してデータを記録する際のデータ圧縮率を設定する圧縮率設定手段と、
装置に接続若しくは装着され又は内蔵された複数の前記媒体間における各記録経路を表す図形を前記圧縮率設定手段により設定された圧縮率に応じた形状で表示する表示手段とを有することを特徴とする、記録装置。
【請求項２】
各記録経路において記録先となり得る記録先媒体が記録可能な状態にあるか否かを判定する判定手段をさらに備え、
前記表示手段は、前記判定手段により記録可能な状態であると判定された記録先媒体がその状態にあることを表す図形を表示することを特徴とする、請求項１に記載の記録装置。
【請求項３】
前記判定手段によって記録可能な状態であると判定された記録先媒体についての記録可能な残容量、及び該記録先媒体に対応する記録元媒体における記録対象となるデータの容量を取得し、該記録先媒体に対して該記録対象データを記録することが可能な条件を判断する記録条件判断手段をさらに備え、
前記表示手段は、前記記録条件判断手段により判断された記録条件を表す図形を表示することを特徴とする、請求項１又は２に記載の記録装置。
【請求項４】
前記圧縮率設定手段により設定される圧縮率と、前記表示手段が表示する各記録経路を表す図形の形状との対応は、ユーザが設定可能であることを特徴とする、請求項１に記載の記録装置。
【請求項５】
請求項１〜４のいずれかの記録装置における各手段としてコンピュータを機能させることを特徴とするプログラム。
【請求項６】
データを記録可能な媒体に対してデータを記録する際のデータ圧縮率を設定する圧縮率設定工程と、
装置に接続若しくは装着され又は内蔵された複数の前記媒体間における各記録経路を表す図形を前記圧縮率設定工程において設定された圧縮率に応じた形状で表示する表示工程とを有することを特徴とする、記録方法。
【発明の詳細な説明】
【技術分野】
【０００１】
本発明は、装置に対して接続若しくは装着可能な又は固定された複数の記録媒体間における記録経路を表す図形を表示するようにした記録装置及び記録方法、並びに該装置としてコンピュータを機能させるプログラムに関する。
【背景技術】
【０００２】
従来、図１に示すような構成を備えた録音再生装置が知られている。この装置においては、ＤＳＰ１２を介し、ＣＤメカ部１１のＣＤからＵＳＢメモリ１３やメモリカード１４へ、ＵＳＢメモリ１３からメモリカード１４へ、又はメモリカード１４からＵＳＢメモリ１３へと、種々の記録媒体間で録音を行うことができるようになっている。
【０００３】
図１０はこの録音再生装置における表示部２１において表示される録音経路図を示す。録音経路図は各記録媒体の有無及び各記録媒体間の録音経路を示す。図中の８１はＣＤを表すＣＤ図形、８２はＵＳＢメモリ１３を表すＵＳＢメモリ図形、８３はメモリカード１４を表わすメモリカード図形、８４ａはＣＤ及びＵＳＢメモリ１３間の録音経路を表わす経路図形、８４ｂはＣＤ及びメモリカード１４間の録音経路を表す経路図形、８４ｃはＵＳＢメモリ１３及びメモリカード１４間の録音経路を表す経路図形、そして８５は経路図形８４ａ〜８４ｃを構成する経路セグメントである。
【０００４】
ＣＤ図形８１、ＵＳＢメモリ図形８２、及びメモリカード図形８３はそれぞれ、ＣＤ、ＵＳＢメモリ１３、及びメモリカード１４が録音再生装置に挿入又は接続されていて、システムマイコン２０がそれを認識しているかどうかを表しており、認識している場合に表示される。各経路図形８４ａ〜８４ｃは、その録音経路により録音中でなければ、そのまま表示される。録音中であれば、録音元の記録媒体図形から録音先の記録媒体図形へ向かって伸びてゆく図形変化を伴いながら点滅表示される。
【０００５】
図１１はこの点滅表示において変化する経路図形８４ａの各表示状態を示す。経路図形８４ａは、表示状態１１１ａ〜１１１ｇの順に、ＣＤ図形８１側から経路セグメント８５を順次点灯させてゆくことによって、ＣＤ図形８１からＵＳＢメモリ図形８２まで伸びてゆくように変化させながら表示される。表示状態１１１ｇは経路図形８４ａの表示が完了した状態である。経路図形８４ａの表示が完了すると、経路図形８４ａは消去され、再度表示状態１１１ａからの経路図形８４ａの表示過程が繰り返される。このようにして、経路図形８４ａの点滅が行われる。
【０００６】
このような録音経路図によれば、ユーザは、各記録媒体の有無及び録音経路を一目で認識することができる。
【０００７】
なお、このような種々の記録媒体間で録音を行うことができるようにした装置に関する技術として、たとえば特許文献１において開示されたものも知られている。この技術においては、ＣＤ等の非圧縮データを圧縮してハードディスク等に録音する場合に、ユーザに対して録音可能時間を通知したり、それがハードディスクにおいてどの程度の容量に相当するかを表示させたりすることができるようにしている。
【０００８】
【特許文献１】特開２００１−２９１３７９号公報
【発明の開示】
【発明が解決しようとする課題】
【０００９】
しかしながら、上述図１０の従来の録音経路図によれば、録音を高ビットレート又は低ビットレートで行うかの録音モードの設定状態や、本当に録音を開始することができる状態にあるかどうかということを知ることはできない。
【００１０】
本発明の目的は、このような従来技術の問題点に鑑み、記録開始に際し、ユーザに対して、記録の可能性に関する情報を容易に認識させることができる記録装置を提供することにある。
【課題を解決するための手段】
【００１１】
この目的を達成するため、第１の発明に係る記録装置は、データを記録可能な媒体に対してデータを記録する際のデータ圧縮率を設定する圧縮率設定手段と、装置に接続若しくは装着され又は内蔵された複数の前記媒体間における各記録経路を表す図形を前記圧縮率設定手段により設定された圧縮率に応じた形状で表示する表示手段とを有することを特徴とする。ここで、データを記録可能な媒体としては、たとえば、ＵＳＢメモリや、メモリカード、ハードディスク、ＭＤ、ＣＤが該当する。
【００１２】
この構成において、装置に接続若しくは装着され又は内蔵された複数の記録可能な媒体間における各記録経路を表す図形が、設定された圧縮率に応じた形状で表示される。各記録経路を表す図形は、接続若しくは装着される媒体が実際に接続又は装着されていない状態であっても、表示させるようにしてよい。各記録経路を表す図形は、現在装置において設定されている圧縮率を、その形状によりユーザに対して視認させる。
【００１３】
第２の発明に係る記録装置は、第１発明において、各記録経路において記録先となり得る記録先媒体が記録可能な状態にあるか否かを判定する判定手段をさらに備え、前記表示手段は、前記判定手段により記録可能な状態であると判定された記録先媒体がその状態にあることを表す図形を表示することを特徴とする。
【００１４】
第３の発明に係る記録装置は、第１又は第２発明において、前記判定手段によって記録可能な状態であると判定された記録先媒体についての記録可能な残容量、及び該記録先媒体に対応する記録元媒体における記録対象となるデータの容量を取得し、該記録先媒体に対して該記録対象データを記録することが可能な条件を判断する記録条件判断手段をさらに備え、前記表示手段は、前記記録条件判断手段により判断された記録条件を表す図形を表示することを特徴とする。
【００１５】
第４の発明に係る記録装置は、第１の発明において、前記圧縮率設定手段により設定される圧縮率と、前記表示手段が表示する各記録経路を表す図形の形状との対応は、ユーザが設定可能であることを特徴とする、。
【００１６】
第５の発明に係るプログラムは、第１〜第４のいずれかの発明に係る記録装置における各手段としてコンピュータを機能させることを特徴とする。
【００１７】
第６の発明に係る記録方法は、データを記録可能な媒体に対してデータを記録する際のデータ圧縮率を設定する圧縮率設定工程と、装置に接続若しくは装着され又は内蔵された複数の前記媒体間における各記録経路を表す図形を前記圧縮率設定工程において設定された圧縮率に応じた形状で表示する表示工程とを有することを特徴とする。
【発明の効果】
【００１８】
本発明によれば、各記録経路について、記録元の記録媒体における所定の記録ソースに基づいて記録を行う場合に、設定されているビットレート（データ圧縮率）及び記録可能な記録経路が容易に認識可能に表示されるため、複数の媒体による記録再生が可能な装置において、記録ビットレート及び記録経路が容易に視認できる。
【発明を実施するための最良の形態】
【００１９】
図１は、本発明の一実施形態に係る録音再生装置の構成を示すブロック図である。同図に示すように、この装置は、ＣＤを再生して再生信号を出力するＣＤメカ部１１、及びＣＤメカ部１１から入力される信号に対し、符号化や復号化等の信号処理を施すデジタル・シグナル・プロセッサ（以下、「ＤＳＰ」という。）１２を備える。ＤＳＰ１２が処理した信号は、ＵＳＢメモリ１３やメモリカード１４に出力される。ＤＳＰ１２と、ＵＳＢメモリ１３及びメモリカード１４との間には、それぞれの間のインタフェースとして機能するＵＳＢコントローラ１５及びメモリカードスロット１６が設けられている。
【００２０】
録音再生装置には、ＤＳＰ１２が処理した信号に基づいて音声を出力するために、ＤＳＰ１２が出力するデジタル音声信号をアナログ音声信号に変換するＤＡコンバータ１７、ＤＡコンバータ１７からのアナログ信号を増幅するアンプ部１８、及びアンプ部１８で増幅された信号を音声に変換するスピーカ１９が設けられている。また、装置全体を制御するために、システムマイコン２０が設けられている。システムマイコン２０には、システムマイコン２０からの画像信号に基づく表示を行う表示部２１、及びシステムマイコン２０に対してユーザが指示を与えるための操作部２２が接続されている。表示部２１及び操作部２２は、ユーザインタフェースを構成する。操作部２２には録音開始の指示を受け入れるための録音キーや、録音停止の指示を受け入れるための停止キーが設けられている。
【００２１】
システムマイコン２０はユーザからの指示に基づき、ＣＤメカ部１１、ＤＳＰ１２等を制御し、ＣＤメカ部１１、ＵＳＢメモリ１３、メモリカード１４等からの信号に基づく音声の出力や、これらの信号に基づくＵＳＢメモリ１３やメモリカード１４への録音等を行う。ＤＳＰ１２はその際に、ＣＤメカ部１１や、ＵＳＢコントローラ１５、メモリカードスロット１６等の間に介在し、これらの間で送受される信号についてのエンコードやデコード等の必要な信号変換処理を行う。
【００２２】
図２は表示部２１において表示される録音経路図を示す。図中の１はＣＤを表わすＣＤ図形、２はＵＳＢメモリ１３を表わすＵＳＢメモリ図形、３はメモリカード１４を表わすメモリカード図形、４ａ〜４ｄは録音再生装置において録音を高ビットレートで行うように設定されている場合の録音経路を太い線で表わした経路図形、５は録音経路における録音方向を表わす矢印セグメント、そして６は経路図形４ａ〜４ｄを構成する太い経路セグメントである。図２では録音を高ビットレートで行うように設定されている場合について示されており、各経路図形は経路セグメント６で構成されているが、録音を低ビットレートで行うように設定されている場合には、各経路図形は、経路セグメント６の代わりに細い経路セグメントを用いて構成される。
【００２３】
録音再生装置における録音経路としてはＣＤからＵＳＢメモリ１３への経路、ＣＤからメモリカード１４への経路、ＵＳＢメモリ１３からメモリカード１４への経路、及びメモリカード１４からＵＳＢメモリ１３への経路の４つの経路が存在する。経路図形４ａ〜４ｄはそれぞれこれらの経路を表している。
【００２４】
ＣＤ図形１はＣＤメカ部１１においてＣＤが存在する場合に点灯され、存在しない場合には消灯される。ＵＳＢメモリ図形２はＵＳＢメモリ１３がＵＳＢコントローラ１５を介して録音再生装置に接続され、録音再生装置によって認識されている場合に点灯され、他の場合には消灯される。メモリカード図形３はメモリカード１４がメモリカードスロット１６を介して録音再生装置に接続され、録音再生装置によって認識されている場合に点灯され、他の場合には消灯される。セグメント５及び６並びに細い経路セグメントは録音時以外のときに点灯され、録音時には点滅される。
【００２５】
矢印セグメント５は、録音先となるＵＳＢメモリ１３を表わすＵＳＢメモリ図形２、又は録音先となるメモリカード１４を表わすメモリカード図形３を指示するように、各録音経路における録音先側の端部において点灯される。ただし、録音先の記録媒体に対する、予め設定されたビットレートによる録音が不可能な状態にある録音経路については、点灯されない。録音が不可能な状態としては、たとえば録音先の記録媒体が書込み禁止となっている状態や、既に記憶容量が満杯となっている状態や、記録媒体が接続されていない状態が該当する。
【００２６】
図３は録音経路図におけるＣＤ図形１及びＵＳＢメモリ図形２間の経路図形を示す。同図（ａ）中の３１は、録音再生装置において低ビットレートで録音を行うように設定されている場合に表示される細い経路図形である。同図（ｂ）では録音再生装置において高ビットレートで録音を行うように設定されている場合に表示される経路図形４ａが示されている。経路図形３１は細い経路セグメント７で構成され、経路図形４ａは太い経路セグメント６で構成されている。このように、録音経路図においては、低ビットレートで録音を行うように設定されている場合には録音経路を細い経路図形３１で表し、高ビットレートで録音を行うように設定されている場合には録音経路を太い経路図形４ａで表すことにより、設定されているビットレートを視覚的に暗示しながら、可能な録音経路を示すようにしている。
【００２７】
同図（ａ）及び（ｂ）では経路図形３１及び４ａにおけるＵＳＢメモリ図形２側の端部において矢印セグメント６が点灯されている。この矢印セグメント６は経路図形３１及び３２に結合してＣＤ図形１からＵＳＢメモリ図形２へ向かう細い矢印及び太い矢印を形成しており、それぞれＣＤからＵＳＢメモリ１３に対して低ビットレート及び高ビットレートで録音が可能な状態にあることを視覚的に示している。
【００２８】
図４は別の状態における録音経路図を示す。同図（ａ）ではＵＳＢメモリ１３への書込みが禁止されている場合の録音経路図が示されている。すなわち、録音経路４ａ及び４ｄにおけるＵＳＢメモリ図形２側端部において、矢印セグメント５を点灯させないことにより、ＵＳＢメモリ１３への書込みが不能であることを示している。一方、録音経路４ｂ及び４ｃにおけるメモリカード図形３側端部において矢印セグメント５を点灯させていることにより、メモリカード１４への書込みが可能であることを示している。
【００２９】
一方、同図（ｂ）ではＵＳＢメモリ１３が録音再生装置に接続されていない場合の録音経路図が示されている。ＵＳＢメモリ図形２を表示しないことによりＵＳＢメモリ１３が接続されていないことを視覚的に示している。この場合も、同図（ａ）の場合と同様に、ＵＳＢメモリ１３への書込みが不能であるため、経路図形４ａ及び４ｄのＵＳＢメモリ図形２側端部において矢印セグメント５は点灯されていない。なお、ＵＳＢメモリ１３が接続されていない場合には、関係する経路図形４ａ、４ｃ及び４ｄは表示しないようにしてもよい。
【００３０】
図５はＣＤからＵＳＢメモリ１３への録音が行われている場合の録音経路図を示す。図中の５１ａ〜５１ｈは、ＣＤ図形１からＵＳＢメモリ図形２へ向かう経路図形の点滅に際し、経路図形を表示する際の表示過程における各表示状態である。同図のように、システムマイコン２０は、表示状態５１ａ〜５１ｈの順に、ＣＤ図形１側から経路セグメント６を順次点灯させてゆくことによって、ＣＤ図形１からＵＳＢメモリ図形２まで伸びてゆく経路図形を表示する。表示状態５１ｈは表示が完了した経路図形４ａを含んでいる。経路図形の表示が完了すると、経路図形４ａを消去し、再度、表示状態５１ａからの表示過程を繰り返す。このようにして、経路図形の点滅が行われる。
【００３１】
図６はシステムマイコン２０による録音経路図の書換え処理を示すフローチャートである。まずステップ６１において、録音を行う際のビットレートの変更がなされたかどうかを判定する。ビットレートの変更とは、高ビットレート及び低ビットレート間の変更を意味する。高ビットレートとは、所定値以上のビットレートであり、たとえば、１９２［ｋｂｐｓ］や、２５６［ｋｂｐｓ］がこれに含まれる。低ビットレートとは、前記所定値未満のビットレートであり、たとえば、１２８［ｋｂｐｓ］や６４［ｋｂｐｓ］がこれに含まれる。
【００３２】
一例として、ユーザが通常の記録動作において高音質で録音を行いたい場合は２５６［ｋｂｐｓ］で録音し、その他の録音の場合は１２８［ｋｂｐｓ］で録音している場合、高ビットレートとして２５６［ｋｂｐｓ］、低ビットレートとして１２８［ｋｂｐｓ］をユーザが設定することにより、これらの各ビットレートに対する設定及び記録の可否が容易に視認できる。
【００３３】
ビットレートの変更がなされていないと判定した場合にはステップ６３へ進む。ビットレートの変更がなされたと判定した場合にはステップ６２において経路図形の幅を変更する。すなわち、ビットレートの変更が高ビットレートから低ビットレートへの変更である場合には、太い経路セグメント６を用いて表示されている太い経路図形の表示を細い経路セグメント７を用いた細い経路図形の表示に変更する。低ビットレートから高ビットレートへの変更である場合には、逆に現在表示中の細い経路図形を太い経路図形に変更する。その後、ステップ６３へ進む。
【００３４】
ステップ６３では、ＣＤ、ＵＳＢメモリ１３、又はメモリカード１４の脱着があったかどうかを判定する。脱着がなかったと判定した場合にはステップ６５へ進む。脱着があったと判定した場合には、ステップ６４へ進み、ＣＤ図形１、ＵＳＢメモリ図形２、又はメモリカード図形３の点灯又は消灯を行う。すなわち、ＣＤが装着された場合にはＣＤ図形１を点灯させ、ＣＤが取り出された場合にはＣＤ図形１を消灯させる。ＵＳＢメモリ１３が装着された場合にはＵＳＢメモリ図形２を点灯させるとともに、ＵＳＢメモリ１３への書込みが可能であれば、ＵＳＢメモリ図形２へ向かう経路図形のＵＳＢメモリ図形２側端部において矢印セグメント５を点灯させる。ＵＳＢメモリ１３が取り出された場合にはＵＳＢメモリ図形２を消灯させ、ＵＳＢメモリ図形２側端部において点灯されている矢印セグメント５を消灯させる。メモリカード１４の場合もＵＳＢメモリ１３の場合と同様である。その後、ステップ６５へ進む。
【００３５】
ステップ６５では、録音が開始され又は終了したかどうかを判定する。開始も終了もされていないと判定した場合には図６の処理を終了する。録音が開始され又は終了したと判定した場合には、ステップ６６において、録音元及び録音先のＣＤ、ＵＳＢメモリ１３、又はメモリカード１４間の録音経路に対応する経路図形の点滅表示を開始し又は終了する。その後、図６の処理を終了する。
【００３６】
本実施形態によれば、録音再生装置において現在設定されている録音用のビットレートが高ビットレートか又は低ビットレートであるかを、経路図形が太いか又は細いかによって、視覚的に認識することができる。また、ユーザが行おうとしている録音経路による録音が現在可能な状態にあるかどうかを、矢印セグメント５の有無により、視覚的に認識することができる。
【００３７】
図７は本発明の別の実施形態に係る録音再生装置における録音経路図を示す。この録音再生装置は、図１の構成に加え、ＭＤメカ部を備える。システムマイコン２０はユーザからの指示に基づき、該ＭＤメカ部、ＣＤメカ部１１、ＤＳＰ１２等を制御し、該ＭＤメカ部、ＣＤメカ部１１、ＵＳＢメモリ１３、メモリカード１４等からの信号に基づく音声の出力や、これらの信号に基づくＭＤや、ＵＳＢメモリ１３、メモリカード１４への録音等を行う。ＤＳＰ１２はその際に、該ＭＤメカ部、ＣＤメカ部１１、ＵＳＢコントローラ１５、メモリカードスロット１６等の間に介在し、これらの間で送受される信号についてのエンコードやデコード等の必要な信号変換処理を行う。
【００３８】
図７の録音経路図には、図２中の各図形に加え、ＭＤ図形８が追加されている。また、ＣＤ図形１からＭＤ図形８に向かう経路図形４ｅ、ＵＳＢメモリ図形２からＭＤ図形８に向かう経路図形４ｆ、メモリカード図形３からＭＤ図形８に向かう経路図形４ｇ、ＭＤ図形８からＵＳＢメモリ図形２に向かう経路図形４ｈ、ＭＤ図形８からメモリカード図形３に向かう経路図形４ｉが追加される。ＣＤ、ＵＳＢメモリ１３、及びメモリカード１４からＭＤへの録音が可能であり、またＭＤからＵＳＢメモリ１３及びメモリカード１４への録音が可能だからである。
【００３９】
図７の録音経路図は、高ビットレートで録音を行うように設定がなされており、かつＣＤ、ＭＤ、ＵＳＢメモリ１３、及びメモリカード１４のすべてが装着されており、かつＭＤ、ＵＳＢメモリ１３、及びメモリカード１４への録音が可能な状態にある場合について示されている。他の点については、上述の実施形態の場合と同様である。
【００４０】
図８は本発明のさらに別の実施形態に係る録音再生装置における録音経路図を示す。録音再生装置の構成は図１のものと同様である。図８では、表示部２１において表示される録音経路図が示されている。この録音経路図では、図形要素として、図２のものに加え、録音可能な録音ソースを示す「１」のマーク７１、フォルダマーク７２、及び「ＡＬＬ」のマーク７３が追加されている。「１」マーク７１は、それが付随する経路図形の録音経路における録音元の記録媒体中の楽曲であって、現在再生しており又は指定されている１つの楽曲が、録音先の記録媒体に対して録音可能であることを示す。フォルダマーク７２は、それが付随する経路図形の録音経路における録音元の記録媒体中の現在選択されているフォルダに含まれる全曲が、録音先の記録媒体に対して録音可能であることを示す。「ＡＬＬ」マーク７３は、それが付随する経路図形の録音経路における録音元の記録媒体中の全曲が、録音先の記録媒体に対して録音可能であることを示す。ただし、これらのマークは、録音生装置において現在設定されているビットレートで録音を行う場合について、記録可能であることを示している。言い換えれば、現在のビットレートで記録先に対する録音を行うための、録音ソースについての容量上の条件を表しているということができる。
【００４１】
図８ではたとえば、録音経路４ａについては、ＣＤ中の現在再生しており又は指定されている楽曲の１曲分のデータ、及びＣＤ中の全楽曲のデータがＵＳＢメモリ１３に記録可能であることが、経路図形４ａに付随する「１」マーク７１及び「ＡＬＬ」マーク７３によって示されている。また、その記録は、現在の記録モードとして設定されている高ビットレートで可能であることが、経路図形が太いことによって示されている。
【００４２】
システムマイコン２０はたとえば、設定中のビットレートが変更された場合や、ＣＤ、ＵＳＢメモリ１３、又はメモリカード１４の着脱により、可能な録音経路について増減が生じた場合に、必要な各録音経路について、各マーク７１〜７３の表示の見直しを行う。その際、ＣＤからのＵＳＢメモリ１３又はメモリカード１４への録音経路については、ＣＤにおける現在再生又は指定中の１曲分のデータ、及び全曲分のデータについて、記録容量の面からみて、ＵＳＢメモリ１３又はメモリカード１４に対して録音が可能であるかどうかを判定し、判定結果に応じて、「１」のマーク７１、又は「ＡＬＬ」のマーク７３の表示又は消去を行う。
【００４３】
ＵＳＢメモリ１３からメモリカード１４への録音経路、又はメモリカード１４からＵＳＢメモリ１３への録音経路については、ＵＳＢメモリ１３又はメモリカード１４における現在再生又は指定中の１曲分のデータ、現在選択中のフォルダにおける全曲分のデータ、及びＵＳＢメモリ１３又はメモリカード１４中の全曲分のデータについて、記録容量の面からみて、メモリカード１４又はＵＳＢメモリ１３に対し録音が可能であるかどうかを判定し、判定結果に応じて「１」のマーク７１、フォルダマーク７２、又は「ＡＬＬ」のマーク７３の表示又は消去を行う。
【００４４】
記録容量の面からみて録音が可能であるかどうかの判定は、設定されているビットレート、録音元の記録媒体における録音ソースの容量、記録ソースにおけるデータ形式、及び録音先の記録媒体へ記録を行う際のデータ形式に基づき、録音に要する容量を算出し、算出した容量に対して十分な空き容量が録音先の記録媒体において存在するかどうかにより行う。
【００４５】
本実施形態によれば、各録音経路について、録音先の記録媒体における録音可能な残容量に応じ、録音元の記録媒体における指定された１曲の録音が可能であれば「１」のマーク７１を表示し、録音元の記録媒体における指定されたフォルダ内の全曲の録音が可能であればフォルダマーク７２を表示し、録音元の記録媒体における全曲の録音が可能であれば「ＡＬＬ」のマーク７３を表示するようにしたため、ユーザは、各録音経路について、録音元の記録媒体中の指定した楽曲やフォルダ、又は記録媒体全体について録音を行うことができる余地が録音先の記録媒体にあるかどうかを視覚的に判断することができる。
【００４６】
図９は本発明の他の実施形態に係る録音再生装置における処理を示すフローチャートである。録音再生装置の構成は図１のものと同様である。この処理は、ＣＤからの録音先としてＵＳＢメモリ１３が録音再生装置に接続された場合に、システムマイコン２０によって行われる。この処理では、ＵＳＢメモリ１３が接続されたとき、ＵＳＢメモリ１３における残容量に対し、録音元のＣＤの全曲又は再生中の曲を録音ソースとした場合に高ビットレート又は低ビットレートで録音可能であるか否かに応じ、図２のような録音経路図において、ＵＳＢメモリ１３へ向かう図３のような経路図形を太線若しくは細線で表示し、又は表示しないようにしている。
【００４７】
すなわち、システムマイコン２０は、まずステップ９１において、ＵＳＢメモリ１３が接続されるのを待機する。この接続を検出すると、ステップ９２において、ＵＳＢメモリ１３の残容量を確認する。次に、ステップ９３において、録音元のＣＤにおけるいずれかのトラックが再生中であるかどうかを判定し、再生中ではないと判定した場合にはステップ９４へ進み、再生中であると判定した場合にはステップ１００へ進む。
【００４８】
ステップ９４では、ＣＤ全体の容量を確認し、ＣＤ全体を所定の低ビットレート及び高ビットレートで圧縮した場合の容量を算出する。次に、ステップ９５において、その算出値と、ＵＳＢメモリ１３の残容量とを比較し、ＣＤ全体を低ビットレートで圧縮した場合にＵＳＢメモリ１３に録音が可能かどうかを判定する。録音可能ではないと判定した場合には、ステップ９６において、ＣＤからＵＳＢメモリ１３への経路図形を表示することなく、図９の処理を終了する。
【００４９】
ステップ９５において録音が可能であると判定した場合には、ステップ９７において、ＣＤ全体を高ビットレートで圧縮した場合にＵＳＢメモリ１３に録音が可能かどうかを判定する。録音が可能ではないと判定した場合にはステップ９８において、録音元のＣＤからＵＳＢメモリ１３への経路図形を細線で表示し、図９の処理を終了する。録音が可能であると判定した場合にはステップ９９において、録音元のＣＤからＵＳＢメモリ１３への経路図形を太線で表示し、図９の処理を終了するする。
【００５０】
一方、ステップ１００では、再生中の楽曲のデータ量を確認し、これを所定の低ビットレート及び高ビットレートで圧縮した場合の容量を算出する。次に、ステップ１０１において、その算出値と、ＵＳＢメモリ１３の残容量とを比較し、当該楽曲データを低ビットレートで圧縮した場合にＵＳＢメモリ１３に録音が可能かどうかを判定する。録音可能ではないと判定した場合には、ステップ１０２において、ＣＤからＵＳＢメモリ１３への経路図形を表示することなく、図９の処理を終了する。
【００５１】
ステップ１０１において録音が可能であると判定した場合には、ステップ１０３において、当該楽曲ソースを高ビットレートで圧縮した場合にＵＳＢメモリ１３に録音が可能かどうかを判定する。録音が可能ではないと判定した場合にはステップ１０４において、ＣＤからＵＳＢメモリ１３への経路図形を細線で表示し、図９の処理を終了する。録音が可能であると判定した場合にはステップ１０５において、ＣＤからＵＳＢメモリ１３への経路図形を太線で表示し、図９の処理を終了する。
【００５２】
これによれば、ＣＤの録音先としてＵＳＢメモリ１３が接続されたとき、ＵＳＢメモリ１３における残容量に対し、録音元のＣＤにおける全楽曲又は再生中の楽曲を高ビットレートで録音可能である場合には、録音元のＣＤからＵＳＢメモリ１３へ向かう経路図形を太線で表示し、高ビットレートで録音可能ではないが低ビットレートで録音可能であれば該経路図形を細線で表示し、いずれのビットレートでも録音可能ではない場合には該経路図形を表示しないようにしたため、ユーザは経路図形の表示の有無により録音の可否を認識するとともに、経路図形の太さにより、いずれかのビットレートで録音が可能か否かを視覚的に認識することができる。
【００５３】
なお、ＣＤの録音先としてメモリカード１４が接続された場合についても、同様にして記録経路の表示を行うことができる。また、ＵＳＢメモリ１３及びメモリカード１４の双方が接続され、ＵＳＢメモリ１３からメモリカード１４への記録経路が可能となった場合や、逆の記録経路が可能となった場合にも、それらの記録経路について、記録ソースが１曲か、全曲か等に応じ、記録が可能なビットレートを判定し、その結果に応じた太さで経路図形の表示を行い、又は行わないようにすることができる。その際、記録ソースが１曲か、全曲か等に応じ、図８の実施形態のような「１」マークや「ＡＬＬ」マークを経路図形に付随させるようにしてもよい。
【００５４】
なお、本発明は上述実施形態に限定されることなく、適宜変形して実施することができる。たとえば、上述においては記録先の記録媒体としてＵＳＢメモリ及びメモリカードを用いているが、これに加え、他の記録媒体、たとえば、録音再生装置に内蔵されたハードディスクを用いるようにしてもよい。
【００５５】
また、上述においては、録音時のビットレートを高ビットレート及び低ビットレートの２段階に分け、これに対応させ、経路図形として太い経路図形及び細い経路図形の２種類を用いているが、この代わりに、ビットレートを高、中、低の３段階に分け、これに対応させて、経路図形として、太い経路図形、普通の経路図形、細い経路図形の３種類のものを用いるようにしてもよい。
【００５６】
また、上述においては特に言及しなかったが、録音経路図には、設定中のビットレートや、録音経路を示す経路図形に付随させてその録音経路において録音可能なビットレートを表示するようにしてもよい。
【図面の簡単な説明】
【００５７】
【図１】本発明の一実施形態に係る録音再生装置の構成を示すブロック図である。
【図２】図１の装置における表示部において表示される録音経路図を示す図である。
【図３】図１の装置における録音経路図におけるＣＤ図形及びＵＳＢメモリ図形間の経路図形を示す図である。
【図４】図１の装置における別の状態における録音経路図を示す図である。
【図５】図１の装置におけるＣＤからＵＳＢメモリへの録音が行われている場合の録音経路図を示す図である。
【図６】図１の装置における録音経路図の書換え処理を示すフローチャートである。
【図７】本発明の別の実施形態に係る録音再生装置における録音経路図を示す図である。
【図８】本発明のさらに別の実施形態に係る録音再生装置における録音経路図を示す図である。
【図９】本発明の他の実施形態に係る録音再生装置における処理を示すフローチャートである。
【図１０】従来の録音再生装置において表示される録音経路図を示す図である。
【図１１】図１０の録音経路図における点滅表示において変化する経路図形の各表示状態を示す図である。
【符号の説明】
【００５８】
１：ＣＤ図形、２：ＵＳＢメモリ図形、３：メモリカード図形、４ａ〜４ｉ：経路図形、５：矢印セグメント、６：経路セグメント、７：経路セグメント、８：ＭＤ図形、１１：ＣＤメカ部、１２：ＤＳＰ、１３：ＵＳＢメモリ、１４：メモリカード、１５：ＵＳＢコントローラ、１６：メモリカードスロット、１７：ＤＡコンバータ、１８：アンプ部、１９：スピーカ、２０：システムマイコン、２１：表示部、２２：操作部、３１：経路図形、５１ａ〜５１ｈ：表示状態、７１：「１」マーク、７２：フォルダマーク、７３：「ＡＬＬ」マーク、８１：ＣＤ図形、８２：ＵＳＢメモリ図形、８３：メモリカード図形、８４ａ〜８４ｃ：経路図形、８５：経路セグメント、１１１ａ〜１１１ｇ：表示状態。
【図１】
2008257755.tif 000003
【図２】
2008257755.tif 000004
【図３】
2008257755.tif 000005
【図４】
2008257755.tif 000006
【図５】
2008257755.tif 000007
【図６】
2008257755.tif 000008
【図７】
2008257755.tif 000009
【図８】
2008257755.tif 000010
【図９】
2008257755.tif 000011
【図１０】
2008257755.tif 000012
【図１１】
2008257755.tif 000013